(57)【要約】【課題】使用する場所によってリモコン制御の対象とする機器が異なる場合であっても、その場所毎に機器に合わせてリモコン設定をすることなく、簡単にリモコン装置として利用することを可能にする。【解決手段】携帯電話機１には、他の機器に対して制御用の信号（赤外線パルス）を送出する赤外線送信部２８が設けられている。制御部１０は、機器毎の制御用信号を送出するために用いる制御用データを設定するリモコン設定がされると、リモコン設定された制御用データとＧＰＳ部３２により検出された現在位置を示す位置データと対応付けてリモコン制御データ１４ａとして記録しておく。携帯電話機１は、リモコン装置として使用される場合、ＧＰＳ部３２により検出される現在位置と対応して、リモコン制御データ１４ａに制御用データが記録されている機器を表示して、ユーザに対してリモコン操作可能であることを通知する。【選択図】      図１
2005295168.tif 000002
【特許請求の範囲】
【請求項１】
他の機器に対して制御用の信号を送出する信号送出手段と、
前記信号送出手段によって他の機器を制御するための信号を送出するために用いる制御用データを機器毎に設定する設定手段と、
現在位置を検出する位置検出手段と、
前記設定手段によって設定された機器毎の制御用データと前記位置検出手段によって検出された現在位置を示すデータとを対応づけて記録する記録手段と、
前記位置検出手段によって検出された現在位置に対応して前記記録手段に制御用データが記録されている機器を表す表示を行なう機器表示手段と、
を具備したことを特徴とする電子機器。
【請求項２】
前記設定手段は、外部の機器から通信によって前記制御用データをダウンロードすることを特徴とする請求項１記載の電子機器。
【請求項３】
近距離の機器との間で無線通信を行う無線通信手段と、
前記無線通信手段によって通信可能な機器を探索する探索手段と、
前記探索手段によって探索された機器から同機器を識別するデータを取得する取得手段とを有し、
前記設定手段は、前記取得手段によって取得されたデータが示す機器について制御用データの設定を行なうことを特徴とする請求項１記載の電子機器。
【請求項４】
コンピュータを、
他の機器に対して制御用の信号を送出する信号送出手段と、
前記信号送出手段によって他の機器を制御するための信号を送出するために用いる制御用データを機器毎に設定する設定手段と、
現在位置を検出する位置検出手段と、
前記設定手段によって設定された機器毎の制御用データと前記位置検出手段によって検出された現在位置を示すデータとを対応づけて記録する記録手段と、
前記位置検出手段によって検出された現在位置に対応して前記記録手段に制御用データが記録されている機器を表す表示を行なう機器表示手段として機能させるためのリモコン機能制御プログラム。
【発明の詳細な説明】
【技術分野】
【０００１】
本発明は、電気製品等の機器を遠隔操作するための携帯電話機等により実現される電子機器、リモコン機能制御プログラムに関する。
【背景技術】
【０００２】
家庭内などにおいては、テレビやビデオ、冷暖房装置、あるいは各種照明器具などの電化製品を遠隔操作により制御できるようにして、利便性を高めた赤外線リモコンが多用されている。電気製品用のリモートコントローラ（以下、リモコンと称する）は、身近なものとして利便性は高まったものの、異なる家電製品では、それぞれ個別のリモコンで制御するため電化製品の数に応じてリモコンの数が増えてしまい取り扱いが面倒になっていた。
【０００３】
従来、こうした問題に対して、急速に普及している携帯電話機を赤外線リモコンとして利用することが考えられている（例えば、特許文献１）。特許文献１には、リモコンコードを携帯電話機に簡単な操作でセットして、携帯電話機を赤外線リモコンとして使用することができる構成が記載されている。
【０００４】
また、複数の機器（ビデオテープレコーダ（ＶＴＲ））を、１つのリモコンによって操作可能にする構成も考えられている（例えば、特許文献２）。特許文献２では、リモコンによってＶＴＲを操作するためには、ＶＴＲ本体の設定番号とリモコンの設定番号とを同じ番号に合わせることによって動作できるようにしている。例えば、ＶＴＲ側で設定を１とした場合、リモコン側でも設定番号を１にしなければ動作しないようになっている。そしてリモコン側の設定番号とＶＴＲ側の設定番号とが一致していない場合、その状態で各種操作をしようとした時に、テレビ受像機の画面上にリモコンで設定されている設定番号を表示することにより、使用者が設定番号が一致していないことを認識でき、故障と間違えないようにしている。
【特許文献１】特開２００３−２６４６１２号公報
【特許文献２】特開平８−１２９７９３号公報
【発明の開示】
【発明が解決しようとする課題】
【０００５】
このように従来では、特許文献１のように携帯電話機をリモコンとして利用することが考えられているが、制御しようとする電化製品に応じて、リモコンコードをその都度、携帯電話機に対して設定する必要がある。例えば、自宅、職場、その他の訪問先などにおいて、それぞれの場所で設置されている電化製品の種類や数は異なっている。こうした場所よって異なる各電化製品を、ひとつの携帯電話機で制御しようとする場合には、各場所ごとにリモコンコードを設定する必要があるため操作が面倒であり使い勝手が悪い。
【０００６】
また、特許文献２のように、リモコンによってＶＴＲを制御可能であるかを認識できるものの、表示された設定番号に従って、リモコンに対する設定番号を変更しなければならず、ユーザに対してその都度、設定操作を強いるものとなっていた。
【０００７】
本発明の課題は、使用する場所によってリモコン制御の対象とする機器が異なる場合であっても、その場所毎に機器に合わせてリモコン設定をすることなく、簡単にリモコン装置として利用することが可能な電子機器、リモコン機能制御プログラムを提供することにある。
【課題を解決するための手段】
【０００８】
請求項１記載の発明は、他の機器に対して制御用の信号を送出する信号送出手段と、前記信号送出手段によって他の機器を制御するための信号を送出するために用いる制御用データを機器毎に設定する設定手段と、現在位置を検出する位置検出手段と、前記設定手段によって設定された機器毎の制御用データと前記位置検出手段によって検出された現在位置を示すデータとを対応づけて記録する記録手段と、前記位置検出手段によって検出された現在位置に対応して前記記録手段に制御用データが記録されている機器を表す表示を行なう機器表示手段とを具備したことを特徴とする。
【０００９】
請求項２記載の発明は、請求項１に加えて、前記設定手段は、外部の機器から通信によって前記制御用データをダウンロードすることを特徴とする。
【００１０】
請求項３記載の発明は、請求項１に加えて、近距離の機器との間で無線通信を行う無線通信手段と、前記無線通信手段によって通信可能な機器を探索する探索手段と、前記探索手段によって探索された機器から同機器を識別するデータを取得する取得手段とを有し、前記設定手段は、前記取得手段によって取得されたデータが示す機器について制御用データの設定を行なうことを特徴とする。
【００１１】
請求項４記載の発明は、コンピュータを、他の機器に対して制御用の信号を送出する信号送出手段と、前記信号送出手段によって他の機器を制御するための信号を送出するために用いる制御用データを機器毎に設定する設定手段と、現在位置を検出する位置検出手段と、前記設定手段によって設定された機器毎の制御用データと前記位置検出手段によって検出された現在位置を示すデータとを対応づけて記録する記録手段と、前記位置検出手段によって検出された現在位置に対応して前記記録手段に制御用データが記録されている機器を表す表示を行なう機器表示手段として機能させることを特徴とする。
【発明の効果】
【００１２】
請求項１記載の発明によれば、他の機器を制御するために用いる制御用データを設定する際に、その制御用データと現在位置を示すデータとを対応付けて記録しておくので、例えば本機器を所持したユーザが場所を移動した際に、その移動先の場所（位置）に対応する制御用データが既に記録されている場合には、この制御用データに対応する機器を表す表示することで、この機器に対する制御が可能であることをユーザに通知することができる。
【００１３】
請求項２記載の発明によれば、請求項１の効果に加えて、外部の機器、例えばネットワークを介して接続されるサーバなどから制御用データをダウンロードすることで、予め制御対象となりうる他の機器についての制御用データを用意しておく必要がない。
【００１４】
請求項３記載の発明によれば、請求項１の効果に加えて、制御対象とする機器についての制御をユーザからの指示に応じて行う必要がなく、近距離無線通信によって探索された近距離に位置する機器、すなわち制御用の信号送信によって制御可能な機器について制御用データを設定することができる。
【００１５】
請求項４記載の発明によれば、他の機器を制御するために用いる制御用データを設定する際に、その制御用データと現在位置を示すデータとを対応付けて記録しておくので、例えば本機器を所持したユーザが場所を移動した際に、その移動先の場所（位置）に対応する制御用データが既に記録されている場合には、この制御用データに対応する機器を表す表示することで、この機器に対する制御が可能であることをユーザに通知することができる。
【発明を実施するための最良の形態】
【００１６】
以下、図面を参照して本発明の実施の形態について説明する。  
図１は、本発明の電子機器を携帯電話機１に適用した場合の構成を示すブロック図、図２は本実施形態における携帯電話機１の外観を示す図である。
【００１７】
図１に示すように、本実施形態における携帯電話機１は、制御部１０、ＲＯＭ１２、ＲＡＭ１４、液晶表示部１６、キー入力部１８、無線部２０、音声変換回路２２、スピーカ２４、マイク２６、赤外線送信部２８、近距離無線通信部３０、及びＧＰＳ部３２が設けられている。
【００１８】
制御部１０は、ＣＰＵなどを内蔵して構成され、ＲＯＭ１２あるいはＲＡＭ１４に記録されたプログラムやデータに基づいて各部を制御して各種機能を実現する。制御部１０は、赤外線送信部２８から他の機器に対して制御用の信号を送出する制御によって、他の機器を遠隔操作するためのリモコン制御部１０ａが設けられる。リモコン制御部１０ａは、例えばＲＯＭ１２に記録されたリモコン機能制御プログラムをＣＰＵにより実行することで実現される機能である。
【００１９】
ＲＯＭ１２及びＲＡＭ１４は、プログラムやデータなどを記録するもので、制御部１０に内蔵されたＣＰＵによりアクセスされる。ＲＡＭ１４には、無線部２０を介して、インターネット等のネットワークを通じてダウンロードされた、他の機器を遠隔操作するために用いられるリモコンコードなどの制御用データ（以下、リモコンデータ）が記録される他、他の機器の制御用に設定されたリモコンデータとＧＰＳ部３２によって検出された位置データ（ＧＰＳデータ）とが対応付けられたリモコン制御データ１４ａが記録される。
【００２０】
液晶表示部１６は、制御部１０の制御に従って各種処理に伴う画像を表示する。例えば携帯電話機１をリモコン装置として使用する場合には、各種リモコン設定用の表示画面や、制御対象とする機器に応じてキー入力部１８に設けられた各キーに割り当てられる機能を表すリモコン操作画面（図７（ｂ）参照）などを表示する。
【００２１】
キー入力部１８は、各種データの入力に用いられるもので、例えば数字、仮名、各種記号等の文字を入力するための文字キーの他、上下左右方向を指示するためのカーソルキー、選択実行等を指示するためのキー、特定の機能が割り当てられる機能キーなどが設けられている。
【００２２】
無線部２０は、携帯電話機１における音声通話等や外部の機器（後述するサーバ４２）とのデータ通信をするための送受信処理を実行するもので、アンテナ２１を通じて無線信号の送受信を行う。無線部２０は、音声変換回路２２からの音声メッセージ、制御部１０からの文字メッセージ、あるいは各種情報（例えば、リモコンデータ）や制御信号を変調してアンテナ２１より送信し、またアンテナ２１より受信した音声メッセージを音声変換回路２２に出力し、また文字メッセージあるいは各種情報や制御信号を復調して制御部１０に出力する。
【００２３】
音声変換回路２２は、マイク２６から入力された音声信号を音声データに変換して無線部２０に出力し、また無線部２０からの音声データを音声信号に変換してスピーカ２４から出力する。
【００２４】
赤外線送信部２８は、携帯電話機１をリモコン装置として使用する場合に、制御対象とする機器に対して、リモコンデータに応じた赤外線パルスを送出するために使用される。
【００２５】
近距離無線通信部３０は、例えばＢｌｕｅｔｏｏｔｈなどの規格に従い制御部１０の制御のもとで、近距離の他の機器との間で無線通信を実行する。近距離無線通信部３０は、同じ近距離無線通信機能が搭載された他の機器を探索する機能を有しており、この機能により探索された他機器との間で通信リンクを設定して無線通信を実行することができる。
【００２６】
ＧＰＳ部３２は、ＧＰＳ（Global Positioning System）衛星から信号を図示せぬアンテナにより受信し、これをもとに現在位置の測位を実行して位置データ（緯度、経度）を出力する。
【００２７】
図３には、本実施形態における携帯電話機１の使用形態を示している。  
図３に示すＡ地点、Ｂ地点のそれぞれにはリモコン操作が可能な複数の機器（電化製品等）が設置されている。携帯電話機１を持ったユーザは、Ａ地点あるいはＢ地点に移動し、それぞれの場所において１つの携帯電話機１によって各機器についてリモコン操作をする。
【００２８】
最初に携帯電話機１によって、他の機器に対してリモコン操作する場合には、各地点でサーバ４２にアクセスして、各機器を制御するために必要なリモコンデータをダウンロードし、その場所でリモコン操作できるように携帯電話機１をリモコン設定する。その時、携帯電話機１は、ＧＰＳ衛星から受信した信号によって検出される現在地と、この場所におけるモコン設定（リモコンデータ）とを対応付けてリモコン制御データ１４ａとして記録しておく。同様にして、Ｂ地点で携帯電話機１をリモコンとして使用する場合も、最初は各機器のリモコンデータをサーバ４２からダウンロードし、各機器についてリモコン設定すると共に、その位置をＧＰＳを利用して記録しておく。その後、各地点（Ａ地点、Ｂ地点）に行くと、その位置で利用できる機器を表示し、その中から選択することにより携帯電話機１をリモコン装置として機能させることができる。
【００２９】
次に、本実施形態における、携帯電話機１をリモコンとして使用する場合の動作について説明する。
【００３０】
まず、図４（ａ）に示すフローチャートを参照しながら、携帯電話機１に対してリモコンとして使用できるように設定を行うためのリモコン設定処理について説明する。
【００３１】
まず、ユーザは携帯電話機１をリモコン装置として使用する場合、リモコン操作しようとする機器を制御するために必要となるリモコンデータを取得する。リモコンデータとしては、例えば各機器のメーカーが独自に設定している赤外線リモコンの所定の命令を表すフォーマットがある。携帯電話機１は、各機器に応じたフォーマットを設定することで、このフォーマットに従った所定の命令を表す赤外線パルスを機器に対して送出し、他の機器の動作を遠隔制御することができる。
【００３２】
携帯電話機１は、無線部２０から無線通信網、インターネットなどのネットワーク通じて、リモコンデータを提供しているサイト（サーバ４２）にアクセスし（ステップＡ１）、リモコン操作しようとしている機器を指定してリモコンデータをダウンロードする（ステップＡ２）。
【００３３】
ユーザは、携帯電話機１においてダウンロードしたリモコンデータを用いて、対象とする機器をリモコン操作可能となるようにリモコン設定を行う（ステップＡ３）。例えば、リモコン操作対象とする機器の製造元とその機器の種別をユーザが指定することにより、この指定された機器に対するリモコンデータが設定される。制御部１０（リモコン制御部１０ａ）は、この設定されたリモコンデータに応じて、キー入力部１８に対する入力操作に応じた赤外線パルスを赤外線送信部２８から送出させることができる。
【００３４】
例えば、リモコン設定をする場合には、携帯電話機１は、図５（ａ）（ｂ）に示すようなリモコン設定画面を表示して、ユーザによって機器の製造元及び機器の名称を容易に設定できるようにしている。図５（ａ）に示すリモコン設定画面は、機器の製造元を一覧表示するもので、キー入力部１８に設けられたカーソルキーや確定キーなどの操作によって、何れかを任意を選択することができる。また、図５（ｂ）に示すリモコン設定画面は、図５（ａ）に示すリモコン設定画面で選択された製造元に応じて、リモコン操作が可能な機器（例えば「ＴＶ」「ビデオ」「オーディオ」）を一覧表示している。ここでも、同様にしてキー入力部１８に設けられたキーに対する操作によって任意に何れかの機器を選択することができる。
【００３５】
一方、リモコン設定の実行に伴って、制御部１０は、ＧＰＳ部３２を利用して現在地の測位を実施し（ステップＡ４）、この測位により得られた現在位置（緯度、経度）を示すデータと、リモコン設定されたリモコンデータと対応付けてリモコン制御データ１４ａとして記録しておく。
【００３６】
以上のようなリモコン設定処理を、リモコン対象とする機器が設置された各場所において同様にして実行しておく。この結果、図６に示すように、リモコン設定された各機器のリモコンデータと、そのリモコンデータが設定された場所、すなわち制御対象としている機器が設置されている位置を示す位置データ（ＧＰＳデータ）とが対応付けて記録される。
【００３７】
図６に示す例では、ＤＤＤ社製のテレビとＡＡＡ社製のビデオについてはＢ地点、ＣＣＣ社製テレビについてはＡ地点においてリモコン設定されていること示している。
【００３８】
こうして、リモコン設定が行われた携帯電話機１は、次に説明するリモコン操作処理によって、各地点において簡単にリモコン装置として使用することができる。
【００３９】
次に、図４（ｂ）に示すフローチャートを参照しながら、リモコン設定された携帯電話機１を用いてリモコン操作を行うリモコン操作処理について説明する。  まず、携帯電話機１は、リモコン装置としての使用がユーザ操作によって指示された場合、ＧＰＳ部３２によってＧＰＳを利用した測位を実施して、現在地（緯度、経度）を検出する（ステップＢ１）。
【００４０】
制御部１０（リモコン制御部１０ａ）は、ＧＰＳ部３２によって検出された現在地がリモコン制御データ１４ａに記録されているか検索する（ステップＢ２）。ここで、該当する位置データが検索されなかった場合（ステップＢ３、Ｎｏ）、すなわちこの場所に設置されている機器に対するリモコン設定が行われていない場合には、リモコン操作処理を終了する。この場合、前述したリモコン設定処理を行うことで、携帯電話機１により、その場所に設置されている機器に対してリモコン操作が可能となる。
【００４１】
一方、現在位置に対応するリモコンデータが記録されていると判定されると（ステップＢ３、Ｙｅｓ）、リモコン制御部１０ａは、リモコン制御データ１４ａに記録されている、現在位置を示す位置データと対応付けられたリモコンデータをもとに、現在位置においてリモコン操作可能な機器を一覧表示させる（ステップＢ４）。
【００４２】
図７（ａ）には、リモコン操作可能な機器が一覧表示されたリモコン操作画面の一例を示している。例えば、携帯電話機１を持ったユーザがＢ地点にいる場合、図６に示すように、リモコン制御データ１４ａには、Ｂ地点の位置データと対応づけられたＤＤＤ社製のテレビとＡＡＡ社製のテレビのリモコンデータが記録されているため、リモコン操作可能な機器としてＤＤＤ社製のテレビとＡＡＡ社製のテレビの製造元（メーカ）名と機器名とを一覧表している。
【００４３】
ここで、ユーザによるキー入力部１８に対する操作により、一覧表示から機器の選択が行われた場合、リモコン制御部１０ａは、この選択された機器を制御するためのリモコン操作画面を表示させる。
【００４４】
例えば、ＤＤＤ社製のテレビがリモコン操作の対象として選択された場合には、リモコン制御部１０ａは、図７（ｂ）に示すように、チャンネルを表す１〜１２の数字ボタン、電源のオンオフを制御する電源ボタン、ボリュームなどの大小を指定するためのボタンなどが設定されたリモコン操作画面を表示させる。この表示画面に従って、キー入力部１８に設けられたキーが操作されると、リモコン制御部１０ａは、当該機器のリモコンデータに従って、キー操作に応じた機器に対する制御用の赤外線パルスを赤外線送信部２８から送出させる。
【００４５】
赤外線送信部２８から送出された信号を受信したＤＤＤ社製のテレビは、赤外線パルスが示す命令に従って動作を制御する。
【００４６】
このようにして、本実施形態における携帯電話機１では、リモコン設定されたリモコンデータと位置データとを対応付けて記録しておくので、１度、リモコン設定した後は、機器を持ってその場所に移動することで、改めてその場所に設置されている機器に対するリモコン設定を行うことなく、位置データに基づいてその地点でリモコン操作可能な機器が表示される。そして、リモコン操作の対象とする機器を一覧表示中から選択するだけで、リモコンデータが設定され、リモコン操作可能にすることができる。従って、場所ごとに設置されている機器の製造元や機器の種類が違う場合であっても、簡単に１つの携帯電話機１を用いてリモコン操作することが可能となる。
【００４７】
なお、前述した説明では、携帯電話機１に対してリモコン設定をするときに、ユーザがリモコン操作しようとする機器のメーカなどを調べて、その機器に対応するリモコンデータを指定してサーバ４２からダウンロードしていたが、次のように、リモコン操作対象とする機器を近距離無線通信を利用して探索して設定することも可能である。
【００４８】
図８は、リモコン操作対象とする機器を探索して設定する処理動作を説明するためのフローチャートである。
【００４９】
この場合、リモコン操作の対象となる電子機器や家電機器にＢｌｕｅｔｏｏｔｈなどの近距離無線通信が可能な機能を搭載しておき、携帯電話機１との間で近距離無線通信ができるようにしておく。携帯電話機１には、予め操作対象となり得る機器についてのリモコンデータをサーバ４２からダウンロードして記憶させておく、あるいは製造時に予め各メーカの機器に応じたリモコンデータをＲＯＭ１２などに記録しておく。
【００５０】
そして、ある場所において、ユーザが携帯電話機１に対してリモコン操作可能な機器の探索の実行を指示すると、近距離無線通信部３０を通じて通信可能な機器を探索する（ステップＣ１）。そして通信可能な機器が探索できた場合に（ステップＣ２、Ｙｅｓ）、この機器から機器を識別するためのデータを取得し、この識別データに対応するリモコンデータを用いてリモコン設定すると共に（ステップＣ６）、この機器の機器名などを液晶表示部１６に表示させてユーザに対してリモコン操作可能な状態となったことを通知する（ステップＣ７）。
【００５１】
ここで、制御部１０は、前述した説明と同様にして、リモコン設定したリモコンデータとＧＰＳ部３２により検出された位置データと対応付けてリモコン制御データ１４ａとして記録しておく。
【００５２】
この場合、リモコン制御データ１４ａにリモコンデータが設定された機器については、再度、この場所において携帯電話機１をリモコン装置として使用する場合に、リモコン設定を改めて行うことなくリモコン操作可能な機器として検索される。
【００５３】
一方、近距離無線通信部３０による探索によってリモコン操作可能な機器が見つからなかった場合、制御部１０は、リモコン制御データ１４ａにリモコンデータが設定されている機器、すなわち以前はこの場所でリモコン操作できた機器については、リモコン操作可能な機器とは異なる表示形態（例えばグレー表示）によって機器名などを表示させる（ステップＣ４）。
【００５４】
このようにして、近距離無線通信による機器を探索する機能を利用することにより、ユーザがリモコン操作対象とする機器を確認して選択する操作も不要となり、さらに簡単に携帯電話機１をリモコン操作に利用することができるようになる。
【００５５】
なお、前述した説明では、携帯電話機１をリモコンとして使用するために赤外線送信部２８を設ける構成としているが、赤外線によらず他の通信方法を用いて制御される機器を対象とする場合には、この制御対象とする機器に応じて通信機能が設けられるものとする。
【００５６】
また、携帯電話機１を対象として説明しているが、その他のＰＤＡ（personal digital assistant）や各種の携帯型の電子機器において実現することも可能である。
【００５７】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００５８】
また、電子機器を実現するコンピュータに実行させることのできる漢字変換プログラムを、例えば磁気ディスク（フレキシブルディスク、ハードディスク等）、光ディスク（ＣＤ−ＲＯＭ、ＤＶＤ等）、半導体メモリなどの記録媒体に書き込んで、あるいは通信媒体を通じて提供することができる。漢字変換プログラムによりコンピュータの動作を制御することで、前述した実施形態における機能を実現することができる。
【図面の簡単な説明】
【００５９】
【図１】本発明の電子機器を携帯電話機１に適用した場合の構成を示すブロック図。
【図２】本実施形態における携帯電話機１の外観を示す図。
【図３】本実施形態における携帯電話機１の使用形態を説明するための図。
【図４】本実施形態における携帯電話機１のリモコン設定処理とリモコン操作処理の動作を説明するためのフローチャート。
【図５】本実施形態におけるリモコン設定画面の一例を示す図。
【図６】本実施形態におけるリモコン制御データ１４ａのデータ構成の一例を示す図。
【図７】本実施形態におけるリモコン操作画面の一例を示す図。
【図８】本実施形態におけるリモコン操作対象とする機器を探索して設定する処理動作を説明するためのフローチャート。
【符号の説明】
【００６０】
１…携帯電話機、１０…制御部、１２…ＲＯＭ、１４…ＲＡＭ、１６…液晶表示部、１８…キー入力部、２０…無線部、２１…アンテナ、２２…音声変換回路、２４…スピーカ、２６…マイク、２８…赤外線送信部、３０…近距離無線通信部、３２…ＧＰＳ部、４０…ＧＰＳ衛星、４２…サーバ。
【図１】
2005295168.tif 000003
【図２】
2005295168.tif 000004
【図３】
2005295168.tif 000005
【図４】
2005295168.tif 000006
【図５】
2005295168.tif 000007
【図６】
2005295168.tif 000008
【図７】
2005295168.tif 000009
【図８】
2005295168.tif 000010